(57)【要約】  本発明は、一組の整調レーザー・ソースに対して広範囲連続波長掃引を所定の大域波長レンジにわたって行わせる装置であって、この装置は少なくとも一つの作動対（１，２）（２，３）（３，４）（５，６）を成す協働整調レーザーと共に働き、その協働対の各レーザーは大域波長レンジのサブ・レンジにわたって光放出し、作動対のサブ・レンジは重畳波長域で一部分相互に重なっており、すべてのサブ・レンジは大域波長レンジ内にあり、そして前記の出力レーザー信号の掃引は、一時複数の作動対の内の１つの作動対の複数のレーザーの内の１つのレーザーを選択しそして整調させることにより行われる。本発明による前記の装置は、協働整調レーザーの作動対毎に、光スイッチ（９）とヘテロダイン光検出器（１３）を備え、この光スイッチはその対の２つのレーザー信号の一方の出力レーザー信号を選択し、このヘテロダイン光検出器は対となっている２つのレーザー信号のオプティカルな組合せを受け、そして制御信号をつくり、この制御信号はその対の２つのレーザー信号が同じ波長を有するとき光スイッチを切替えて、その後その対の重畳波長域内の固定波長にあるその対の非選定レーザーを作動させるバイナリ信号である。
2008532304.tif 000002
【特許請求の範囲】
【請求項１】
一組の整調レーザー・ソースに対して広範囲連続波長掃引を所定の大域波長レンジにわたって行わせる装置であって、この装置は少なくとも一つの作動対（１，２）（２，３）（３，４）（５，６）を成す協働整調レーザーと共に働き、その協働対の各レーザーは大域波長レンジのサブ・レンジにわたって光放出し、作動対のサブ・レンジは重畳波長域で一部分相互に重なっており、すべてのサブ・レンジは大域波長レンジ内にあり、そして前記の出力レーザー信号の掃引は、一時複数の作動対の内の１つの作動対の複数のレーザーの内の１つのレーザーを選択しそして整調させることにより行われ、前記の装置はさらに協働整調レーザーの作動対毎に、その対の２つのレーザー信号の一方の出力レーザー信号を選択させる光スイッチ（９）を備えている広範囲連続波長掃引装置において、
ヘテロダイン光検出器（１３）を備え、このヘテロダイン光検出器は対となっている２つのレーザー信号のオプティカルな組合せを受け、そして制御信号をつくり、この制御信号はその対の２つのレーザー信号が同じ波長を有するとき光スイッチを切替えて、その後その対の重畳波長域内の固定波長にあるその対の非選定レーザーを作動させるバイナリ信号であることを特徴とする広範囲連続波長掃引装置。
【請求項２】
ヘテロダイン光検出器は光信号の組合せを測定する光検出器、増幅器、無線周波数レンジ内で光検出器から電気信号を選択するバンドパス電子フィルター、復調器そして電子トリガーを備えている請求項１に記載の装置。
【請求項３】
検出器は２つの波長の差に感応し、その差が所定値よりも小さく、そして無線周波数フィルターの動作で捕捉されるとき切り替えが生じる請求項２に記載の装置。
【請求項４】
精度を上げる必要があるとき、差が無線周波数フィルターの動作で捕捉された後、その差がゼロになるときを推定する修正関数に従って切替えを遅らせる請求項３に記載の装置。
【請求項５】
広範囲連続波長掃引装置は２つの入力と２つの出力とを有する２×２光スイッチを備え、対となっているレーザーのそれぞれが光スイッチの入力に光を送り、スイッチの第１の出力は広範囲連続波長掃引装置の出力へ光を送り、光スイッチの第２の出力は光カプラーを介して第１の出力からの信号の一部と組合わさって、その組合わさった信号がヘテロダイン光検出器の入力に送られる請求項１ないし４のいずれかに記載の装置。
【請求項６】
広範囲連続波長掃引装置は一つの対のレーザー（５、６）と一緒に働き、そして２つの入力と２つの出力とを有する２×２光スイッチ（９）を備え、それぞれのレーザーは光スイッチの入力へ光を送り、スイッチの第１の出力は広範囲連続波長掃引装置の出力へ光を送り、光スイッチの第２の出力は光カプラを介して第１の出力からの信号の一部分へ組合され、その組合された信号はヘテロダイン光検出器の入力に送られる請求項５に記載の装置。
【請求項７】
広範囲連続波長掃引装置は２つよりも多い整調レーザー・ソースと一緒に働き、そして整調レーザー・ソースの数引く１に等しい数の装置を縦列として光構成体とした請求項５に記載の装置。
【請求項８】
広範囲連続波長掃引装置は２つよりも多い整調レーザー・ソースと一緒に働き、そして２×２光カプラの縦列から成る光構成体とし、一つのヘテロダイン光検出器は各光カプラからの組合せ信号を受け、そして整調レーザー・ソースの数引く１に等しい数の光カプラを有する請求項５に記載の装置。  
【請求項９】
波長監視システム（１４）は大域波長レンジの連続波長掃引を利用して、装置出力のレーザー信号の波長を測定する請求項１ないし８のいずれかに記載の装置。
【請求項１０】
レーザーの中の少なくとも一つは少なくとも２つの整調レーザーのクラスターとクラスターのレーザーの一つを選択する光マルチプレクサ・システムとで置換えられ、そして広範囲連続波長掃引装置はそれの出力レーザー信号波長から最も近い掃引可能範囲を有するクラスターのレーザーを非選択レーザーとして選択する手段を有し、連続整調出力を出すようにサブ・レンジに従ってクラスター内にそれぞれレーザーを配置し、同じクラスターには作動対のレーザーはないようにした請求項１ないし９のいずれかに記載の装置。
【発明の詳細な説明】
【技術分野】
【０００１】
本発明は大域波長レンジにわたって掃引できる出力レーザー信号を放出する一組の整調レーザー・ソースを駆動する装置に係るものである。本発明はそれによって非常に広い同調レンジを有する整調レーザー・ソースを提供する。それは光通信の試験そして測定装置に使用され、もしくはセンサ・アプリケーションもしくは光スペクトル分析にと使用される。
【背景技術】
【０００２】
多くの入手できる整調レーザーは２、３ナノメートルから２００ナノメートルの範囲で連続的に掃引でき、そして２、３ピコメートルから２、３ナノメートルの間の精度で出力ビームの波長を調整できる。どれも２００ナノメートルを越えては掃引することはできない。
【発明の開示】
【発明が解決しようとする課題】
【０００３】
帯域制限を克服するため、通常は、２つもしくはそれ以上の整調レーザーを、それぞれの整調レーザーの精度を利用しそれぞれの波長を出させるように、ソフトウエア・ドライバーで接続している。例えば、本願明細書の請求項１の前文に記載のシステムであるレーザー・ソースの組合せはＷＯ  ０３／０１５２２６公報に記載されている。しかしながら、既知のシステムはすべての波長を完全にカバーすることを保証できない。各装置の波長推定に依存しているからである。もしヘテロダイン・セットのソースを使えば、そして特に、一つの装置がそれ自体波長情報を有しないとそれは大域レンジで同一波長精度を出すことができない。
【特許文献１】ＷＯ  ０３／０１５２２６公報
【課題を解決するための手段】
【０００４】
本発明は、一組の整調レーザー・ソースに広範囲連続波長掃引を所定の大域波長レンジにわたって行わせる装置であって、この装置は少なくとも一つの作動対を成す協働整調レーザーと働き、その協働対の各レーザーは大域波長レンジのサブ・レンジにわたって光放出し、作動対のサブ・レンジは重畳波長域で一部分相互に重なっており、すべてのサブ・レンジは大域波長レンジ内にあり、そして前記の出力レーザー信号の掃引は、一時複数の作動対の内の１つの作動対の複数のレーザーの内の１つのレーザーを選択しそして整調させることにより行われ、前記の装置はさらに協働整調レーザーの作動対毎に、その対の２つのレーザー信号の一方の出力レーザー信号を選択させる光スイッチを備えている。
【０００５】
本発明に従って、それはヘテロダイン光検出器を備え、このヘテロダイン光検出器は対となっている２つのレーザー信号の（部分の）オプティカルな組合せを受け、そして制御信号をつくり、この制御信号はその対の２つのレーザー信号が同じ波長を有するときに光スイッチを（直接もしくはそうでなく）切替え、その後その対の重畳波長域内の固定波長にあるその対の非選定レーザーを作動させるバイナリ信号である。
【０００６】
「同じ波長」とは絶対的に同じと言うことではなく、理解さるべきは現実世界（限定された測定精度、不確実性…）の物理的精度で実質的に等しいと言うことである。ここでは無線周波数フィルターをヘテロダイン検出器で使用しているので、それはヘテロダイン検出器の無線周波数フィルターの物理的な特性により規定される波長差を意味している（キャプチャーレンジ）。
【０００７】
本発明の核心は、光スィッチと少なくともこの光スイッチを制御する（そして必要なときに少なくとも各レーザーの掃引を開始する）手段を有するヘテロダイン光検出器とを備えた装置にある。それは彼等自身のレーザー・ソースを使用するユーザーに提供され、もしくはレーザー・ソースを含んでユーザーに提供される。対を機能的に説明すると、対とは同調波長範囲が重なり合っている２つのレーザーから成っており、そのことが意味していることは本装置が少なくとも２つのレーザー（１対）から成り、３つのレーザー（２対）から成り、４つのレーザー（３対）から成り、５つのレーザー（４対）から成って・・、サブ・レンジが部分的に重なっているこれらのレーザーの中から所定の波長レンジをつくるよう選択するということである。本装置に２つよりも多いレーザーを使用する場合にはその選択される作動対は、（波長が長くなる方に向う、もしくはその反対の方に向う）掃引／走査の方向によるのであり、その対の中の非選択レーザーは切替えの後同じ方向に掃引を継続する。
【０００８】
以下の手段は個々に、もしくは技術的に組合せが可能であればそのように組合せて本発明を構成するものである。
‐ヘテロダイン光検出器は光信号の組合せを測定する光検出器、増幅器、無線周波数レンジ内で光検出器から電気信号を選択するバンドパス電子フィルター、復調器そして電子トリガーを備えている。
‐検出器は２つの波長の差に感応し、その差が所定値よりも小さく、そして無線周波数フィルターの動作で捕捉されるとき切り替えが生じる（差の所定値は通常所要の波長精度よりも遥かに低い）。
‐バンドパスフィルターは７０メガヘルツ付近の折点周波数を有している。
‐（掃引中に）精度を上げる必要があるとき、差が無線周波数フィルターの動作で捕捉された後、その差がゼロになるときを推定する修正関数に従って切替えを遅らせる。（フィルターのバンド幅のため、捕捉は２つの波長が完全に等しくなくても等しいと感知したときに生じ、選択されたレーザーの掃引が継続するので、切替えの遅延によって２つの波長が等しいときに切替えがなされるようになる。）
‐光検出器はフォト・ダイオードである。
‐レーザー信号が同じ波長を有すると感知されたとき、直接にもしくは遠隔制御により切替えがラッチされる。
‐レーザー信号が同じ波長を有すると感知された後、直接にもしくは遠隔制御により切替えがラッチされる。
‐レーザー信号が同じ波長を有すると推定されたとき、直接にもしくは遠隔制御により切替えがラッチされる。
‐遠隔制御を介してラッチを解除して新しく掃引する。
‐本装置は２つの入力と２つの出力とを有する２×２光スイッチを備え、対となっているレーザーのそれぞれが光スイッチの入力に光を送り、この光スイッチの第１の出力は本装置の出力へ光を送り、光スイッチの第２の出力は光カプラーを介して第１の出力からの信号の一部と組合わさって、その組合わさった信号がヘテロダイン光検出器の入力に送られる。
‐本装置は、一つの対のレーザーと共に働き、そして２つの入力と２つの出力とを有する２×２光スイッチを備え、それぞれのレーザーは光スイッチの入力へ光を送り、スイッチの第１の出力は広範囲連続波長掃引装置の出力へ光を送り、光スイッチの第２の出力は光カプラを介して第１の出力からの信号の一部分へ組合され、その組合された信号はヘテロダイン光検出器の入力に送られる。
‐本装置は２つよりも多い整調レーザー・ソースと共に働き、そして整調レーザー・ソースの数引く１に等しい数の装置を縦列（カスケード）として光構成体としている。
‐本装置は２つよりも多い整調レーザー・ソースと共に働き、そして２×２光カプラの縦列から成る光構成体となっており、一つのヘテロダイン光検出器は各光カプラからの組合せ信号を受け、そして整調レーザー・ソースの数引く１に等しい数の光カプラを有する。  
‐波長監視システムは大域波長レンジの連続波長掃引を利用して、本装置の出力のレーザー信号の波長を測定する。
‐レーザーの中の少なくとも一つは少なくとも２つの整調レーザーのクラスターとこのクラスターのレーザーの一つを選択する光マルチプレクサ・システムとで置換えられ、そして広範囲連続波長掃引装置はそれの出力レーザー信号波長から最も近い掃引可能範囲のクラスターのレーザーを非選択レーザーとして選択する手段を有し、連続整調出力を持つようにサブ・レンジに従ってクラスターにレーザーを置き、同じクラスターには作動対のレーザーはないようにする。
‐本装置内でそして光学的に可能な構成内では光ファイバーによって信号は送られる。
‐ヘテロダイン光検知器へ送られた信号の部分は光ファイバー・カプラーで得られる。
‐光ファイバー・カプラーで得られた信号の部分はヘテロダイン検出に足るものである。
‐光ファイバー・カプラーで得られた信号の部分は１０％よりも少ない。
‐光ファイバー・カプラーで得られた信号の部分はほぼ５％である。
【０００９】
かくして、本発明は、どのような種類の（機器、部品もしくはＯＥＭ）整調レーザー・ソース（ＴＬＳ）であってもそれらの掃引の完全な切替えを行って、順次の個々のレーザーのサブ・レンジを使うことによって大域波長レンジを掃引し、ＴＬＳがそれぞれの場所で作動しているのとは関係なく、大域波長レンジにわたって同じ精度で干渉法もしくは他の方法で掃引中の波長を測定することもできる。本発明のお蔭で、波長が重なり合っている領域を二つずつ有する一組のＮ個の整調レーザー・ソース（ＴＬＳ）で可能となったのは、これらのＴＬＳどうしを、大域波長レンジを空白なくカバーして、つなぎ合せ、個々のＴＬＳの波長精度がどうあれ、そして１つもしくはそれ以上のＴＬＳがそれ自体波長情報を提供しなくてもそれができるのである。また、それのアクセスできるレンジ内で波長を連続掃引できるＴＬＳならどのような種類のものでも、それの掃引速度がどうあれ、そしてアクセスするコマンドが掃引の開始と停止だけであっても、ＴＬＳの波長、掃引速度、出力もしくはその他の特性の情報を問うことなく、使えるのである。
【００１０】
ＴＬＳの掃引の大部分で、直接波長にアクセスするということは通常あり得ず、そして掃引を開始するとそのまま作動していくということを想起すべきである。スイッチングが起きたときの波長は作動対の波長が等しいと感知されるその瞬間に完全に決定されるので、波長監視システムを有する本装置は大域波長レンジにわたって出力波長について連続して情報を持つことができる。スイッチング後でさえも、そしてスイッチング点（切替え）での波長をそれ自身知らなくてさえも、新しく選択されたレーザーの波長が大域波長レンジ内で選択された最初のレーザーを参照して決定されるので、本装置は大域波長レンジにわたって出力波長について連続して情報を持つことができるのである。切り替えが起きるとき、波長参照（測定）を停止して、その時点の波長を記憶し、それは２つの波長が等しいと感知したとき切替えが生じるその切替え前に重畳域で待っていたＴＬＳの波長である。それから、新しく選択されたレーザーでその記憶された波長から波長参照が再び始まり、それの全掃引中続く。こうして、好ましくは大域波長レンジの中の最初に選択されたレーザーの開始波長を一回参照するだけですべての波長参照が可能とされる。
【００１１】
本発明は簡単なヘテロダイン検出を使用しており、それは波長掃引に空白をつくることなく、そして掃引速度に拘束されることなく（作動対と呼ばれる）波長が隣接して選択、接続されるＴＬＳに対して高感度である。もしＴＬＳが波長直接アクセスを可能とするか、もしくはより多くのパラメータ制御を可能とするのであれば、本装置の実施する仕方は拡大されよう。
【発明を実施するための最良の形態】
【００１２】
本発明の装置が作動するには、各ＴＬＳがそれの特定レンジΔλｉを連続的に掃引しなければならず、そしてどんな大きさにせよ、別のＴＬＳと共通で重畳している波長域を（大域波長レンジの端で使用されるＴＬＳを除いて）各ＴＬＳがそれの波長域の両側で有していなければならない。このような構成を図１に示す。図１では４つのレーザー・ソースを数字１、２，３，４を付けたボックスで表している。各レーザー・ソースは整調可能（波長可変）であって、レーザー・ソース１はそれの特定の波長であるサブ・レンジΔλ１を掃引でき、レーザー・ソース２はそれの特定の波長であるサブ・レンジΔλ２を掃引でき、レーザー・ソース３はそれの特定の波長であるサブ・レンジΔλ３を掃引でき、そしてレーザー・ソース４はそれの特定の波長であるサブ・レンジΔλ４を掃引でき、掃引はこれらのサブ・レンジの順にでき、例えばレーザー・ソース１は最低波長のサブ・レンジを有している。これらの波長サブ・レンジはそれぞれが波長領域でスペクトルＳ１、Ｓ２、Ｓ３、Ｓ４として表わされる。これらのサブ・レンジもしくはスペクトルは（最低波長のλｉと最高波長のλＳとを除いて）作動対レーザーの重畳レンジのところで２つづつ重なり合っている。すなわち、レーザー１，２の作動対（スペクトルＳ１とＳ２）の間の重畳レンジはＣ１２；レーザー２，３の作動対（スペクトルＳ２とＳ３）の間の重畳レンジはＣ２３；レーザー３，４の作動対（スペクトルＳ３とＳ４）の間の重畳レンジはＣ３４である。明らかに、作動対の中の一方の（第１の）レーザーのサブ・レンジが他方のサブ・レンジにすっかり含まれてしまうことはない。各レーザーのサブ・レンジを越えて延びる大域波長レンジに何の利益ももたらさないからである。
【００１３】
図１において、斜線で影を付けて表わした各重畳域内で、本装置が作動対の一方のレーザー・ソースから対応する他方のレーザー・ソースに切り替えるときの波長は、サブ・レンジ間の垂直線として表される。そのような構成ではレーザー・ソースの数を増加でき、そしてレーザーの作動対の数はレーザーの数から１を引いた数に等しくなる。
【００１４】
本装置の動作を管理するコンピューティング手段は図面を簡単にするため示していないが、本装置の作動はそのような手段の監視下にあって、特に多数の作動対言いかえればＴＬＳのクラスターを使うときには、現時点のＴＬＳの作動対の選択（本装置のレーザー出力信号をつくるためその時点で使用する作動対の選択）にそのような作動管理手段を使用する。現時点の作動対及び又は非選択ＴＬＳの休止波長の選定は掃引の方向によって決まる。コンピューティング手段はＤＳＰを使用するのが好ましい。
【００１５】
本装置の高い方の波長λＳに向って掃引するとき、選択された各ＴＬＳはそれの低い方から始めてサブ・レンジの高い方に向かって、その次のサブ・レンジを持つ新しいＴＬＳの選択まで掃引していくか、または大域波長レンジの端のλＳに到達する。反対方向の場合には大域波長レンジの波長の低い方に向ってＴＬＳをそれぞれそれのサブ・レンジの高い方から低い方に掃引していく。
【００１６】
図２は本発明の好ましい実施例を示しており、そこでは２つのＴＬＳ５，６を使用しており、それらのレーザー信号出力は光ファイバー７，８を介して２×２光スイッチ９の２つの入力に送られる。
【００１７】
最初のスイッチ９の形では、ＴＬＳ５からの信号は光ファイバー１１を通って本装置のユーザー出力Oに向う。ＴＬＳ２からの信号は光ファイバー１０を通ってヘテロダイン検出器１３の第１の入力に向う。ユーザー出力信号Oの小さい部分、好ましくは５％ぐらいが光ファイバー１１から光結合装置２０によってヘテロダイン検出器１３の第２の入力へ送られる。ヘテロダイン１３において光組合せ装置２３は２つの入力からの信号、すなわち光ファイバー１０からと光結合装置２０からの信号を組合せて波長差を得て、この波長差はフォト・ディテクタ好ましくはフォト・ダイオード１５により測定される。光組合せ装置２３はヘテロダイン検出器１３の外側にあっても内側にあってもよく、外側にある場合にはヘテロダイン検出器１３はフォト・ディテクタに向う一つだけの入力を有する。組合された信号はフォト・ダイオード１５に入り、そしてその測定された電気信号（増幅されることもある）は、ＲＦ（高周波）バンドパスフィルター１６へ送られる。その濾波された電気信号は復調器１７で復調され、その出力は電子トリガー１８へ送られ、制御ライン１９を介して光スイッチ９を制御し、これを切替える。ＲＦフィルターの伝達関数が判っているので両方のＴＬＳが同じ波長となる正確な瞬間を検出できる。
【００１８】
２つのＴＬＳ５（低いサブ・レンジ）と６（高いサブ・レンジ）は最初それらのそれぞれの低い方の波長にあって、それからＴＬＳ５はそれのアクセスできるレンジを掃引し始め、そしてそれの波長がＴＬＳ６の待っている位置の波長に到達すると、ヘテロダイン検出器は光スイッチをトリガーし／切替えて、ＴＬＳ６をユーザー出力Oに向け、そしてＴＬＳ６は始動しその掃引を完了する。両方向に掃引できるようにする場合には、セットする（ＴＬＳの波長をサブ・レンジの切替えの最高点にセットする、もしくは大域波長レンジの端のＴＬＳのレンジの端にセットする）手段もしくはリセットする（ＴＬＳの波長をサブ・レンジの切替えの最低点にリセットする、もしくは大域波長レンジの端のＴＬＳのレンジの端にリセットする）手段を使ってどの波長からでも掃引を再開させるようにする。掃引の開始時点及び又は終了時点の波長をプログラムし、セット、リセット操作を作動対の全部もしくは一部について行う。
【００１９】
一つだけの波長、例えばＴＬＳ５の開始波長λ０を知っていればよい。掃引中すべての波長はインターフェロメティックな、もしくは他の波長監視システム１４（例えば、しまの計数）を使って光ファイバー１２により出力信号の一部分を受け、掃引が開始位置から連続であるということで、掃引中のすべての波長をその一つだけの波長を参照して知ることができる。λ０は別として、掃引中いずれのＴＬＳでもそれの波長値についての精度は必要としない。
【００２０】
ヘテロダイン検出器１３が本装置の出力信号と別の光信号との波長差を測定するのだから、その別の光信号を知ることができると、例えばそれがその目的のために使う参照レーザー信号であると、出力波長についての情報が得られる（それは非選択信号についてであり、そして出力に干渉することはなく、コンピューティング手段は測定が必要とされないときに、もしくは対のＴＬＳ間の切替えが起こりそうなときに最初のＴＬＳを回復させる）。そのような参照レーザー信号を使用することはＴＬＳの掃引の較正プロセスの精度を上げるのに有用である。あるいは、参照レーザー信号の波長が事実知られておらず、そして本装置を使ってそれを測定するというのであれば、本装置で波長監視システム１４を使って掃引波長を参照し、２つの波長が等しいと感知されたときに測定できる（参照される波長である掃引と未知の参照レーザー）。
【００２１】
本発明装置を縦列して、２つよりも多いＴＬＳの使用を許す本発明装置の別の実施例を図３と図４を参照して説明する。図５は図４と均等の実施例である。
【００２２】
図３で、３つのＴＬＳが２つの縦列となっている本装置へ接続されており、各本装置は光スイッチ９とヘテロダイン光検出器１３とを有している。これらのＴＬＳは、２つの縦列となっている本発明の装置によってありとあらゆる作動対を選択できるように接続されている。図４では４つのＴＬＳが３つの縦列となっている本装置へ接続されており、各装置は光スイッチ９とヘテロダイン光検出器１３とを有している。これらのＴＬＳは、３つの縦列となっている本発明の装置によってありとあらゆる作動対を選択できるように接続されている。これよりも多くのＴＬＳについて実施しようとすればその構成は縦列となっている本装置によるこれらの実施例から推測されよう。
【００２３】
上の例では、ＴＬＳの数引く１に等しい数のヘテロダイン検出器を使用している。この数を減らすことはすべての光スイッチからの組合せ信号を一つのヘテロダイン光検出器へ送ることにより可能であり、これを４つのＴＬＳを使っているということで図４の実施例と均等である図５に示す。この実施例では現時点で使用されているＴＬＳ作動対の部分ではないＴＬＳを切り離している（スイッチ・オフ）のが好ましい。
【００２４】
上記の実施例の変形態様として、特に図２の実施例から始めて、ＴＬＳ５，６を作動対のレーザーとなるよう（２つのレーザーのサブ・レンジが重畳するよう）個別に選択できるレーザー・ソースのクラスターで置換え、作動対のレーザーの信号を光スイッチ９に送る。そのような場合、すべてのあり得る作動対について、各対の第１のレーザーは光スイッチの第１の入力に信号を送り、そしてその対の第２のレーザーは光スイッチの第２の入力に信号を送る。例えば、図１と図２とを組合せ、レーザー５が２つのＬＴＳのクラスター５で、レーザー６が２つの他のＬＴＳのクラスター６で、クラスター５がレーザー１と３の間で選択し、クラスター６がレーザー２と４の間で選択する。これが本発明の装置によるすべてのあり得る作動対を選択させる。
【００２５】
最後に、本装置は、個々のＴＬＳの波長カバーレッジに僅かの不連続を、その不完全なカバーレッジがレーザー結合（重畳域）の生じる領域に影響しなければ、波長参照精度を代償にして許容することになることを知るべきである。
【図面の簡単な説明】
【００２６】
【図１】ヘテロダイン・スイッチにより接続され、そして作動レーザー対を形成しているＮ個の順次の整調レーザー・ソースで得られる大域波長レンジの掃引を示す。
【図２】本発明の好ましい実施例で２つの整調レーザーの対の間で切替える手段を示す。
【図３】好ましい本発明の実施例で２つの本装置を使用し、そして２対の作動レーザーとして構成されることができる３つのＴＬＳの間で切替える手段を示す。
【図４】好ましい本発明の実施例で３つの本装置を使用し、そして３対の作動レーザーとして構成されることができる４つのＴＬＳの間で切替える手段を示す。
【図５】別の実施例でヘテロダイン検出器を使用し、そして３対の作動レーザーとして構成されることができる４つのＴＬＳの間で切替える手段を示す。
【符号の説明】
【００２７】
１  ＴＬＳ
２  ＴＬＳ
３  ＴＬＳ
４  ＴＬＳ
５  ＴＬＳ
６  ＴＬＳ
７  光ファイバー
８  光ファイバー
９  光スイッチ
１０  光ファイバー
１１  光ファイバー
１２  光ファイバー
１３  ヘテロダイン検出器
１４  波長監視システム
１５  フォト・ダイオード
１６  ＲＦ（高周波）バンドパスフィルター
１７  復調器
１８  電子トリガー
１９  制御ライン
２０  光結合装置
２３  光組合せ装置
【図１】
2008532304.tif 000003
【図２】
2008532304.tif 000004
【図３】
2008532304.tif 000005
【図４】
2008532304.tif 000006
【図５】
2008532304.tif 000007
【国際調査報告】
2008532304.tif 000008
2008532304.tif 000009